(57)【要約】      （修正有）【課題】人体の左右のサイズ形状の差の問題を解決するとともに、簡単な構成で取り付けが容易であり、装着感に優れたブラジャーを提供する。【解決手段】ブラジャー１は各々独立した左側カップ２及び右側カップ３からで構成されており、左側カップ２には左脇から背中に接する第１の帯４が連結されており、右側カップ３には右脇から背中に接する第２の帯５が連結されており、左側カップ２及び右側カップ３が、使用者の前面側に設けられた係合部６、７で連結されるとともに、第１の帯４及び第２の帯５が使用者の背面側に設けられた係合部８、９で連結されることにより使用者に装着され、左側カップ２の上部と第１の帯４は肩紐１０により連結されており、右側カップ３の上部と第２の帯５は肩紐１１により連結されている。【選択図】図１
2015224407.tif 000002
【特許請求の範囲】
【請求項１】
ブラジャーの左側カップのサイズ及び形状が、上記ブラジャーの右側カップのサイズ及び形状と異なる組み合わせで形成されている、
ことを特徴とする左右非対称のブラジャー。
【請求項２】
上記ブラジャーは各々独立した左側カップ及び右側カップからなり、
上記左側カップには左脇から背中に接する第１の帯が連結されており、
上記右側カップには右脇から背中に接する第２の帯が連結されており、
上記左側カップ及び上記右側カップが、使用者の前面側に設けられた係合部で連結されるとともに、上記第１の帯及び上記第２の帯が使用者の背面側に設けられた係合部で連結されることにより使用者に装着される、
ことを特徴とする請求項１に記載の左右非対称のブラジャー。
【請求項３】
上記左側カップ及び上記右側カップには各々矯正用のパッドが具備されていることを特徴とする、請求項１または２に記載の左右非対称のブラジャー。
【発明の詳細な説明】
【技術分野】
【０００１】
本発明は、左右非対称のブラジャーに関する。
【背景技術】
【０００２】
女性用、男性用を問わず近年様々のデザインや機能を有する下着が現れてきた。フロントフックのブラジャーなどがその一例である。また、同じデザインの下着の種類として、一般的に多くのサイズが用意されているのが通常である。Ａカップ、Ｂカップといったサイズ分けや、Ｌ、Ｍ、Ｓのサイズ分けといった大まかなものから何センチ〜何センチといった細かなサイズ分けなど様々である。
【０００３】
しかしながら、ここで従来の下着では顧みられなかったサイズ上の特徴がある。それは左右差である。人間の体は左右ほぼ対称に出来ており、ほとんどすべての
下着はそのことを前提として左右対称に作られている。ところが人間には利き手、利き脚があるように、体の左右のサイズも微妙に、あるいは、はっきりと違っている場合が多いのである。それにもかかわらず従来の下着は大量生産の必要性からこの左右のサイズ差に注目してこなかった。そして、使用者もそれを当然のように受け入れて左右差による不具合については取り立てて問題視されることはなかった。
【０００４】
この結果、例えば女性用のブラジャーでいえば、与えられた左右同サイズ同形状のカップに自らのバストを合わせざるを得ず、左右のバストとブラジャーとが完全な、理想的なフィット状態には至らないという事態が常態化していた。
【０００５】
ブラジャーの左右のサイズ差を解消できる従来発明として、特許文献１が知られている。特許文献１にはブラジャー本体に左右のカップを別々に取り付ける構成とすることで、左右でサイズの異なるカップを取り付けることを可能とする発明が記載されている
【先行技術文献】
【特許文献】
【０００６】
【特許文献１】特開２００５−１６３２４６号公報
【発明の概要】
【発明が解決しようとする課題】
【０００７】
しかしながら、特許文献１の発明ではブラジャー本体へ左右の各カップをファスナーで取り付ける必要があり、取り付け作業が面倒であり、ファスナーの存在による装着感の低下という問題もある。
本発明は上記の左右差の問題を解決するとともに、簡単な構成で取り付けが容易であり、しかも装着感に優れたブラジャーを提供することを課題とする。
【課題を解決するための手段】
【０００８】
上記課題を解決するために、請求項１の発明は、ブラジャーの左側カップのサイズ及び形状が、ブラジャーの右側カップのサイズ及び形状と異なる組み合わせで形成されていることを特徴とする。
請求項２の発明は、さらに、ブラジャーは各々独立した左側カップ及び右側カップからなり、左側カップには左脇から背中に接する第１の帯が連結されており、
右側カップには右脇から背中に接する第２の帯が連結されており、左側カップ及び右側カップが、使用者の前面側に設けられた係合部で連結されるとともに、第１の帯及び第２の帯が使用者の背面側に設けられた係合部で連結されることにより使用者に装着されることを特徴とする。
請求項３の発明は、さらに、左側カップ及び右側カップには各々矯正用のパッドが具備されていることを特徴とする。
【発明の効果】
【０００９】
本発明により、個々人における乳房の左右のサイズ差、形状差に合わせた左右非対称の下着を提供することができる。その人だけの持つ特徴である乳房の左右のサイズ、形状によりフィットすることが可能となり、従来の一律に左右対称の下着では得られない快適な装着感が得られ、好適な血行状態をもたらすことにより健康に関しても好影響を与えることができる。また、専用のパッドにより疾病等で欠損した乳房の矯正用下着としての使用も可能である。
【図面の簡単な説明】
【００１０】
【図１】本発明の第１の実施形態を示す模式図であり、装着時の前面から見た図である。
【図２】本発明の第１の実施形態を示す模式図であり、装着時の後面から見た図である。
【発明を実施するための形態】
【００１１】
以下に、本発明の実施形態について図を用いて説明する。まず、本実施形態の構成について説明する。
図１に示すように、ブラジャー１は各々独立した左側カップ２及び右側カップ３からで構成されており、左側カップ２には左脇から背中に接する第１の帯４が連結されており、右側カップ３には右脇から背中に接する第２の帯５が連結されており、左側カップ２及び右側カップ３が、使用者の前面側に設けられた係合部６、７で連結されるとともに、第１の帯４及び第２の帯５が使用者の背面側に設けられた係合部８、９で連結されることにより使用者に装着される。
ブラジャー１の左側カップ２のサイズ及び形状は、右側カップ３のサイズ及び形状と異なる組み合わせで形成されている。
本実施形態では左側カップ２の上部と第１の帯４は肩紐１０により連結されており、右側カップ３の上部と第２の帯５は肩紐１１により連結されている。
【００１２】
次に、本実施形態の機能について説明する。
ブラジャー１は上述のように、左側カップ２とそれに連結する部分と、右側カップ３とそれに連結する部分とに分かれている。これにより、左側カップ２のサイズ、形状と右側カップ３のサイズ、形状とを使用者の体の特徴なり、好みに応じて独立して自由に組み合わせることができる。つまり、左側カップ２と右側カップ３とは、初めはいわば別の商品として提供されていて、使用者が自分の体と相談して両者を選び出し、組み合わせるということができるのである。
左側カップ２と、右側カップ３には各々多くのサイズ、形状が用意されて提供され、使用者の側が自分に最もフィットする左右のカップを各々選ぶ、という状況を造り出すことが本発明によって初めて可能になったのである。
【００１３】
左側カップ２と右側カップ３の各部の機能について説明する。係合部６、７は従来のブラジャーのいわゆるフロントフックである。係合部８、９は従来のブラジャーと同様にボタンで互いに係合する。係合部６、７及び係合部８、９により左側カップ２と右側カップ３はブラジャー１として一体化される。
【００１４】
上記とは別の実施形態について説明する。この実施形態では左側カップ２の内側及び右側カップ３の内側に、各々不図示の矯正用パッドが具備されている。
これにより、疾病等で変形した乳房の矯正用下着として使用することができる。具体的には、例えば左の乳房のみが矯正を必要とする場合は、左側カップ２のみに任意のサイズの矯正用パッドを挿入し、矯正用のパッドを使用しない右側カップ３と組み合わせることで使用者独自のブラジャー１を構成することができる。
【００１５】
以上説明したように、従来の、使用者の体の左右差や状況を無視した全く左右対称のブラジャーに較べて本発明のブラジャーは、左右別々のカップのサイズ、形状を自由に組み合わせて使用することができるため、個々人の体の特徴に合わせたブラジャーを提供することができる。これにより、使用者は従来の下着と較べて体によりフィットさせることができ、快適な装着感を得るとともに血行状態を良好に保つことができ、さらに矯正用のパッドを用いれば矯正用下着としても使用できる。
【００１６】
また、上記特許文献１のブラジャーは、左右のカップの各々をファスナーでブラジャー本体に取り付ける必要があり、ファスナーの部分が装着感の低下をもたらす恐れが大であり、ブラジャー本体が共通であるために左右差の問題に対応しきれない場合も生じるのに対し、本発明のブラジャーは、完全に独立した左右のカップを組み合わせてフロントフックと背面係合部だけで装着できるため、装着がより容易に行え、装着感の問題もなく左右差の問題に無理なく対応できる。
【符号の説明】
【００１７】
１  ブラジャー
２  左側カップ
３  右側カップ
４  第１の帯
５  第２の帯
６、７  フロントフック
８、９  ボタン
１０、１１  肩紐
【図１】
2015224407.tif 000003
【図２】
2015224407.tif 000004